(57)【要約】【課題】光源から偏向手段の光路上に配置された光学素子が取り外れた取り付け部材を再使用することができる光走査装置および画像形成装置を提供する。【解決手段】光源５２と、光源５２から出射された光を偏向走査するポリゴンスキャナ５３などの偏向手段と、光源５２から前記偏向手段までの光路上に配置されたシリンドリカルレンズ５９などの光学素子と、光源５２と光学素子とが取り付けられる保持部材１０４などの取り付け部材とを備え、取り付け部材には、光学素子が接着固定されるシリンドリカルレンズ取り付け部１０３など接着固定部を複数備える書込装置５などの光走査装置であって、上記複数の接着固定部を、光軸回りに配置した。【選択図】図４
2014013329.tif 000002
【特許請求の範囲】
【請求項１】
光源と、
前記光源から出射された光を偏向走査する偏向手段と、
前記光源から前記偏向手段までの光路上に配置された光学素子と、
前記光源と前記光学素子とが取り付けられる取り付け部材とを備え、
前記取り付け部材には、前記光学素子が接着固定される接着固定部を複数備える光走査装置であって、
上記複数の接着固定部を、光軸回りに配置したことを特徴とする光走査装置。
【請求項２】
請求項１の光走査装置において、
前記取り付け部材および前記偏向手段を保持し、開放面を有する光学ハウジングと、前記光学ハウジングの開放面を覆うカバー部材とを備え、
前記接着固定部は、前記光学ハウジングの開放面に対して垂直な板状であり、前記接着固定部を、光軸を中心に主走査方向左右に設けたことを特徴とする光走査装置。
【請求項３】
請求項２の光走査装置において、
前記光源から前記偏向手段までの光路上には、光源から射出される光束を略平行光に偏向する第１光学素子と、第１光学素子を通過した光束を副走査方向に集光する第２光学素子とが配置されており、
前記取り付け部材は、上記光源および上記第１、第２光学素子が取り付けられ、前記第２光学素子が前記接着固定部に接着固定されるものであって、
前記取り付け部材の前記第１光学素子が取り付けられる第１光学素子取り付け部は、副走査方向に対して垂直な板状の形状であって、上記土地付け部材を上記光学ハウジングに締結するための締結部材が挿入される複数の挿入穴を有することを特徴とする光走査装置。
【請求項４】
請求項２または３の光走査装置において、
上記接着固定部の間隔を、上記接着固定部に固定される光学素子の主走査方向長さよりも長くしたことを特徴とする光走査装置。
【請求項５】
請求項１乃至４いずれかの光走査装置において、
上記接着固定部の接着剤付着部分を上記取り付け部材に対して取り外し可能に構成したことを特徴とする光走査装置。
【請求項６】
請求項５の光走査装置において、
上記接着固定部にスリットを形成したことを特徴とする光走査装置。
【請求項７】
請求項１乃至６いずれかの光走査装置において、
上記接着固定部の表面積を、上記光学素子の上記接着固定部に接着される箇所の表面積よりも大きくしたことを特徴とする光走査装置。
【請求項８】
潜像を担持する潜像担持体と、光走査によって該潜像担持体の表面に潜像を形成する光走査手段と、該潜像担持体に担持された潜像を現像する現像手段とを備える画像形成装置において、
上記光走査手段として、請求項１乃至７いずれかの光走査装置を用いたことを特徴とする画像形成装置。
【発明の詳細な説明】
【技術分野】
【０００１】
本発明は、光走査装置および画像形成装置に関するものである。
【背景技術】
【０００２】
複写機、プリンタ、ファクシミリ等の画像形成装置の中には、潜像担持体上に画像情報に応じた書込光を偏向走査する光走査装置を備え、この光走査装置により潜像担持体上に潜像を形成し、この潜像を現像して画像を得るものが知られている（例えば、特許文献１）。特許文献１に記載の光走査装置は、図１５に示すように、レーザダイオード（ＬＤ）などの光源２０１から照射された光２１０が、不図示のコリメートレンズやシリンドリカルレンズ２０２などの光学素子によって所定の形状に成形されて光偏向装置たるポリゴンスキャナ２０４のポリゴンミラー２０３に入射する。ポリゴンミラー２０３に入射した光は、偏向走査され、走査レンズ２０５、反射ミラー２０９等の光学素子を通った後、光学ハウジング２１３の底面部の防塵ガラス２１１が取り付けられた開口部から不図示の潜像担持体に照射される。光源２０１からポリゴンスキャナ２０３までの光路上に配置されるシリンドリカルレンズ２０２などの光学素子は、取り付け部材としての光学ハウジング２１３に直接接着固定されている。
【０００３】
また、上記特許文献１には、図１６に示すように、光学素子としての走査レンズ２０５が接着固定される複数の固定用突起部２３２，２３３，２３４を取り付け部材としての光学ハウジング２１３の同一平面上に主走査方向に並べて設け、これら固定用突起部のうちのいずれかひとつ（図１６では符号２３２の固定用突起部）に走査レンズ２０５を接着固定する構成が記載されている。この特許文献１に記載の光走査装置は、走査レンズ２０５に傷つくなどして、光学特性の劣化が発見された場合、劣化した走査レンズ２０５を光学ハウジングから取り外す。次に、前回の接着固定に用いた固定用突起部２３２を削りとり、この固定用突起部２３２とは異なる固定用突起部（符号２３３，２３４のいずれか）に新品の走査レンズ２０５を固定する。これにより、固定用突起部に残留する接着層により走査レンズの取り付け精度の低下などを防ぐことができる。その結果、光学ハウジング２１３を再利用することができる。
【発明の概要】
【発明が解決しようとする課題】
【０００４】
偏向手段としてのポリゴンスキャナ２０４以降の光路上に配置される走査レンズ２０５などの光学素子においては、主走査方向にある程度の長さを有している。このため、先の図１６に示す構成を採用した場合、光学素子を光路上に配置したとき、主走査方向に並べた複数の固定用突起部全てと光学素子は対向する。よって、前回とは異なる固定用突起部に光学素子を接着固定しても、光学素子が光路からずれることはない。よって、先の図１６に示す構成を採用することができ、取り付け部材としてのハウジング２１３の再利用が可能である。
【０００５】
しかし、特許文献１では、光源から偏向手段の光路上に配置されたシリンドリカルレンズ２０２などの光学素子が取り外れた光学ハウジングを再使用することができなかった。なぜなら、光学ハウジングには、光源から偏向手段の光路上に配置された光学素子の接着固定部は一つしかないからである。
【０００６】
仮に、光源２０１からポリゴンスキャナ２０４までの光路上に配置されるシリンドリカルレンズ２０２などの光学素子の固定として先の図１６に示した光学ハウジング２１３の主走査方向に複数の固定用突起部を並べて配置する構成を採用した場合、前回の接着固定に用いた固定用突起部とは異なる固定用突起部に光学素子を固定すると、光学素子が光路上から外れてしまうという不具合が生じる。これは、光源２０１からポリゴンスキャナ２０４までの光路上に配置されるシリンドリカルレンズ２０２などの光学素子は、ポリゴンスキャナ以降の光路上に配置される光学素子に比べて小さい。このため、先の図１６に示す構成を採用した場合、光学素子を光路上に配置したとき、光学素子は、主走査方向に並べて配置された複数の固定用突起部のうちひとつとしか対向しないからである。
【０００７】
本発明は以上の課題に鑑みなされたものであり、その目的は、光源から偏向手段の光路上に配置された光学素子が取り外れた取り付け部材を再使用することができる光走査装置および画像形成装置を提供することである。
【課題を解決するための手段】
【０００８】
上記目的を達成するために、請求項１の発明は、光源と、前記光源から出射された光を偏向走査する偏向手段と、前記光源から前記偏向手段までの光路上に配置された光学素子と、前記光源と前記光学素子とが取り付けられる取り付け部材とを備え、前記取り付け部材には、前記光学素子が接着固定される接着固定部を複数備える光走査装置であって、上記複数の接着固定部を、光軸回りに配置したことを特徴とするものである。
【発明の効果】
【０００９】
本発明によれば、複数の接着固定部を光軸回りに配置したので、光学素子を光路上に配置したとき、全ての接着固定部と対向させることができる。よって、前回と異なる接着固定部に光学素子を接着固定しても光学素子が光路上から外れてしまうことがない。これにより、光源から偏向手段の光路上に配置された光学素子が取り外れた取り付け部材を再使用することができる。
【図面の簡単な説明】
【００１０】
【図１】本実施形態に係る画像形成装置としてのプリンタを示す模式図。
【図２】第１の書込装置の周辺を示す斜視図。
【図３】第１の書込装置の断面図。
【図４】ＬＤユニットの斜視図。
【図５】シリンドリカルレンズが保持部材に取り付けられる前のＬＤユニットを光学ハウジングに取り付けた様子を示す断面図。
【図６】光学ハウジングに締結された保持部材に、シリンドリカルレンズを取り付けた様子を示す断面図。
【図７】各突当部と、ネジ挿入穴との関係を示す図。
【図８】シリンドリカルレンズ取り付け部の間隔と、シリンドリカルレンズの主走査方向長さとの関係を示す図。
【図９】シリンドリカルレンズを第１シリンドリカルレンズ取り付け部に接着固定した様子を示す図。
【図１０】シリンドリカルレンズを第２シリンドリカルレンズ取り付け部に接着固定した様子を示す図。
【図１１】シリンドリカルレンズ取り付け部からシリンドリカルレンズを取り外す様子を示す拡大構成図。
【図１２】変形例のＬＤユニットの平面図。
【図１３】第１シリンドリカルレンズ取り付け部の接着剤付着部分を取り外す様子を説明する図。
【図１４】第１シリンドリカルレンズ取り付け部の接着剤付着部分を取り外した変形例のＬＤユニットの斜視図。
【図１５】従来の光走査装置の平面図。
【図１６】従来の光走査装置における走査レンズの固定方法を示す図。
【発明を実施するための形態】
【００１１】
以下、本発明を、電子写真方式の画像形成装置である複写機に適用した一実施形態について説明する。
【００１２】
図１は、本実施形態に係る画像形成装置としてのプリンタ１０を示す模式図である。
このプリンタ１０は、主に、イエロー（以下「Ｙ」と記載し、イエロー用の部材の符号には色別符号として「Ｙ」を付す。シアン、マゼンタ、ブラックについても同様。）用の作像部４Ｙ、Ｍ（マゼンタ）用の作像部４Ｍ、Ｃ（シアン）用の作像部４Ｃ、ＢＫ（ブラック）用の作像部４ＢＫの４つの作像部と、中間転写材である中間転写ベルト１とを有している。また、作像部４Ｙ，Ｍ，Ｃ，ＢＫの上には、第１の書込装置５ａ、第２の書込装置５ｂの一部が重なるようにして横並びに配置されている。
【００１３】
各書込装置５ａ，５ｂは、パーソナルコンピュータ、ワードプロセッサ等から入力される色分解された画像データを、光源駆動用の信号に変換し、それに従い各レーザ光源ユニット内の半導体レーザを駆動して光ビームを出射するようになっている。
【００１４】
各作像部４Ｙ，４Ｍ，４Ｃ，４ＢＫは、それぞれ、回転駆動される潜像担持体としての感光体４１Ｙ，４１Ｍ，４１Ｃ，４１ＢＫ、それぞれの感光体４１Ｙ，４１Ｍ，４１Ｃ，４１ＢＫの周囲に配置される帯電部４２Ｙ，４２Ｍ，４２Ｃ，４２ＢＫ、現像部４３Ｙ，４３Ｍ，４３Ｃ，４３ＢＫ、クリーニング部４４Ｙ，４４Ｍ，４４Ｃ，４４ＢＫ等により構成されている。感光体４１Ｙ，４１Ｃ，４１Ｍ，４１ＢＫは、円筒状に形成された感光体ドラムであり、図示しない駆動源により回転駆動される。各帯電部４２Ｙ，４２Ｍ，４２Ｃ，４２ＢＫは、それぞれ対応する感光体４１Ｙ，４１Ｍ，４１Ｃ，４１ＢＫ４１の表面を所定電位となるように一様帯電するものである。本実施形態の帯電部４２Ｙ，４２Ｍ，４２Ｃ，４２ＢＫは、帯電ローラ等の帯電部材を感光体４１Ｙ，４１Ｍ，４１Ｃ，４１ＢＫの表面に接触又は近接させて帯電処理する接触帯電方式のものを採用しているが、これに限られない。
【００１５】
第１の書込装置５ａから出射された光ビームが帯電部４２Ｂｋ，４２Ｃにより一様帯電された感光体４１Ｂｋ，４１Ｃの表面にスポット照射されることにより、感光体４１Ｂｋ，４１Ｃ表面にはそれぞれの画像情報に応じた静電潜像が書き込まれる。また、第２の書込装置５ｂから出射された光ビームが帯電部４２Ｍ，４２Ｙにより一様帯電された感光体４１Ｍ，４１Ｙの表面にスポット照射されることにより、感光体４１Ｍ，４１Ｙ表面にはそれぞれの画像情報に応じた静電潜像が書き込まれる。
【００１６】
各現像部４３Ｙ，４３Ｍ，４３Ｃ，４３ＢＫは、感光体４１Ｙ，４１Ｍ，４１Ｃ，４１ＢＫ上の静電潜像にトナーを付着させることにより、その静電潜像をトナー像として顕像化させるもので、感光体４１Ｙ，４１Ｍ，４１Ｃ，４１ＢＫに対して非接触状態でトナーを供給する非接触現像方式のものが採用されている。各クリーニング部４４Ｙ，４４Ｍ，４４Ｃ，４４ＢＫは、感光体４１Ｙ，４１Ｍ，４１Ｃ，４１ＢＫの表面に付着している転写残トナー等の不要物を除去するもので、感光体表面にブレード部材を接触させてクリーニングするブレード方式のものが採用されている。
【００１７】
作像部４Ｙ，４Ｍ，４Ｃ，４ＢＫの鉛直方向下方には、無端状の中間転写ベルト１を張架しながら図中反時計回り方向に無端移動せしめる転写ユニット１２が配設されている。転写手段たる転写ユニット１２は、中間転写ベルト１の他に、テンションローラ２、２次転写対向ローラ３、４つの１次転写ローラ６Ｙ，６Ｍ，６Ｃ，６ＢＫ、２次転写ローラ７、不図示のベルトクリーニング装置などを備えている。
【００１８】
転写ユニット１２の鉛直方向下方には、シートを複数枚重ねた紙束の状態で収容している給紙カセット１３が配設されている。この給紙カセット１３は、シート束の一番上のシートに給紙ローラ１３ａを当接させており、これを所定のタイミングで図中反時計回り方向に回転させることで、そのシートを送り出す。
【００１９】
各感光体４１Ｙ，４１Ｍ，４１Ｃ，４１ＢＫ上に形成された各色トナー像が、各一次転写ローラ６Ｙ，６Ｍ，６Ｃ，６ＢＫによって、順次中間転写ベルト１に互いに重なり合うように転写される。このように重なった中間転写ベルト１上の画像は、２次転写ローラ７によってシートに転写される。
画像が転写されたシートは、その後に定着器１４に搬送され、熱と圧力によって画像がシートに定着される。その後、シートは、排紙ローラ対１５により排紙カバー１６へ排出される。
【００２０】
次に、書込装置５ａ，５ｂについて説明する。第１，第２の書込装置５ａ，５ｂは、排紙カバー１６の傾斜に略平行に対向するように傾いて設置されていて、両者がプリンタ１０の排紙側から見て一部重なるように配置されている。もちろん略平行でなかったり、重なりがなかったりしても問題ないが、重なる部分をもつことでプリンタ１０を小型化することができる。
【００２１】
第１の書込装置５ａ、第２の書込装置５ｂの構成は、同じであるので、以下の説明では、第１の書込装置５ａについて説明する。
図２は、第１の書込装置５ａの周辺を示す斜視図であり、図３は、第１の書込装置５ａを側方から見た断面図である。
第１の書込装置５ａは、ＢＫ色の感光体４１ＢＫとＣ色の感光体４１Ｃとに走査光線Ｌを照射するものであり、図２、図３に示すように、ＬＤユニット１００、ポリゴンスキャナ５３、走査レンズ（ｆθレンズ）５４、反射ミラー５５Ｃ，５５ＢＫ，５６ＢＫ、シリンドリカルレンズ５７ＢＫ，５７Ｃなどを有し、これらが光学ハウジング５００に収納されている。光学ハウジング５００は、上面が開放した箱型の形状であり、上面がカバー部材５０５で覆われていて、書込装置内への塵芥の侵入を防いでいる。ＬＤユニット１００、ポリゴンスキャナ５３は、光学ハウジング５００の一端側に収納されている。光学ハウジング５００は、ガラス繊維を含有した熱可塑性樹脂で構成され、底面および底面の４辺に設けられた側面とが一体成形されている。
【００２２】
ＬＤユニット１００は、感光体４１ＢＫに走査光線ＬＢｋを照射するための半導体レーザからなるＢＫ用の光源５２ＢＫ（図５参照）、感光体４１Ｃに走査光線Ｌｃを照射するための半導体レーザからなるＣ用の光源５２Ｃ（図５参照）を備えている。ＬＤユニット１００は、光源５２ＢＫから出射された光束とＣ色用の光源５２Ｃから出射された光束とがポリゴンミラー５３ａの同じ位置に照射するようにＢＫ色用光源５２ＢＫ及びＣ色用光源５２Ｃを保持している。また、ＬＤユニット１００は、Ｂｋ色用のコリメートレンズ５１Ｂｋ、Ｃ色用のコリメートレンズ５１Ｃ（図５参照）、Ｂｋ色用のシリンドリカルレンズ５９Ｂｋ、Ｃ色用のシリンドリカルレンズ５９Ｃ（図５参照）も保持している。なお、ＬＤユニット１００の詳細については、後述する。
【００２３】
偏向手段としてのポリゴンスキャナ５３は、正多角柱形状からなる回転多面鏡たるポリゴンミラー５３ａと、不図示のポリゴンモータと、ポリゴンモータの駆動を制御するための電子部品を搭載した回路基板５３ｂとで構成されており、光学ハウジング５００の底面の一端部にネジによって締結されている。ポリゴンミラー５３ａは、その６つの側面に反射鏡を有している。本実施形態においては、ポリゴンミラー５３ａを正六角柱形状として、側面に６つの反射鏡を有しているが、これに限定されるものではない。
【００２４】
ＬＤユニット１００に固定されたＢＫ色用の光源５２ＢＫから出射された光束は、ＬＤユニット１００とポリゴンスキャナ５３との間の光路上に配置されたコリメートレンズ５１Ｂｋにより、発散光束が平行光束に変換された後、シリンドリカルレンズ５９Ｂｋを透過することで、副走査方向（感光体表面上における感光体表面移動方向に相当する方向）に集光せしめられ、ポリゴンミラー５３ａに入射する。ポリゴンミラー５３ａに入射した光は、ポリゴンミラー５３ａの反射鏡に反射しながら主走査方向（感光体表面上における軸線方向に相当する方向）に偏向せしめられる。次に、ポリゴンミラー５３ａによって一定の角速度で主走査方向に偏向せしめられる光束の偏向方向の移動速度を等速に変換する走査レンズ５４、図３に示すように、第１反射ミラー５５ＢＫ、第２反射ミラー５６ＢＫを順次経由する。そして、シリンドリカルレンズ５７ＢＫによりポリゴンミラーの面倒れが補正された後、光学ハウジング５００の底面に形成された開口部５０４ＢＫを覆うようにして設けられた防塵ガラス５８ＢＫを透過して感光体４１ＢＫの表面を光走査する。
【００２５】
また、ＬＤユニット１００に固定されたＣ色用の光源５２Ｃから出射された光束は、同様にコリメートレンズ５１Ｃやシリンドリカルレンズ５９Ｃなどの複数の光学素子を通過して、ポリゴンミラー５３ａのＢＫ色の光束と、同一の位置に入射する。そして、ポリゴンミラー５３ａの反射鏡に反射しながら主走査方向に偏向せしめられ、走査レンズ５４、第１反射ミラー５５Ｃ、シリンドリカルレンズ５７Ｃ，防塵ガラス５８Ｃを透過して感光体４１Ｃの表面を光走査する。本実施形態においては、１枚の走査レンズ５４を使用する構成であるが、ＢＫ色用、Ｃ色用それぞれの走査レンズを有する構成でもよい。また、走査レンズ５４として、副走査方向にパワーを持つ走査レンズを用いて、シリンドリカルレンズ５７ＢＫ，５７Ｃを無くしてもよい。
【００２６】
次に、本実施形態の特徴点であるＬＤユニット１００について、説明する。
図４は、ＬＤユニット１００の斜視図である。
ＬＤユニット１００は、Ｂｋ色とＣ色用の光源５２Ｂｋ，５２Ｃ、コリメートレンズ５１Ｂｋ，５１Ｃ、シリンドリカルレンズ５９Ｂｋ，５９Ｃを保持する樹脂製の保持部材１０４を有している。保持部材１０４は、光源５２Ｂｋ，５２ｃが、副走査方向に並んで取り付けられる光源取り付け部１０１、第１光学素子であるコリメートレンズ５１Ｂｋ，５１Ｃが取り付けられる副走査方向に対して垂直な板状のコリメートレンズ取り付け部１０２を有している。また、第２光学素子たるシリンドリカルレンズ５９Ｂｋ，５９Ｃが取り付けられる光学ハウジング５００の開放面に対して垂直な板状の第１シリンドリカルレンズ取り付け部１０３ａを有している。また、この第１シリンドリカルレンズ取り付け部１０３ａと対向して、垂直な板状の第２シリンドリカルレンズ取り付け部１０３ａが設けられている。
【００２７】
光源取り付け部１０１には、第１取り付け孔１０１ａと、この第１取り付け孔１０１ａに対して副走査方向並んで設けられた第２取り付け孔１０１ｂ（図５参照）とを有している。第１取り付け孔１０１ａにＢｋ色の光源５２Ｂｋが圧入されることで、Ｂｋ色の光源５２Ｂｋが、第１取り付け孔１０１ａに取り付けられる。また、Ｃ色の光源５２Ｃが第２取り付け孔に圧入させることで、Ｃ色の光源５２Ｃが、第２取り付け孔に取り付けられる。本実施形態においては、光源５２Ｂｋ，５２Ｃを取り付け孔に圧入することで、光源５２Ｂｋ，５２Ｃを光源取り付け部１０１に取り付けているが、例えば、板バネにより光源５２Ｂｋ，５２Ｃを光源取り付け部１０１に取り付けてもよい。
【００２８】
コリメートレンズ取り付け部１０２は、光源取り付け部１０１の第１取り付け孔１０１ａと第２取り付け孔の間を仕切るように設けられており、一方の面（光学ハウジング５００の開放面と対向する面）にＢｋ色用のコリメートレンズ５１Ｂｋが接着固定され、他方の面（光学ハウジング５００の底面と対向する面）にＣ色用のコリメートレンズ５１Ｃが接着固定される。また、本実施形態では、コリメートレンズ５１Ｂｋ，５１Ｃを直接、コリメートレンズ取り付け部１０２に接着固定しているが、コリメートレンズ５１Ｂｋ，５１Ｃを保持する中間部材を介して、コリメートレンズ取り付け部１０２に接着固定してもよい。また、コリメートレンズ取り付け部１０２の主走査方向両端部付近には、締結部材たるネジ１１０が挿入されるネジ挿入穴１０６が設けられている。
【００２９】
また、コリメートレンズ取り付け部１０２のネジ挿入穴１０６の周辺部１０２ａを、他の部分に比べて薄肉にしている。ネジ挿入穴１０６は、コリメートレンズ５１Ｂｋ，５１Ｃが取り付けられる箇所よりも光束進行方向下流側に配置されている。コリメートレンズ取り付け部１０２の光束進行方向下流端の主走査方向中央部には、Ｂｋ色用のアパーチャー５０Ｂｋと，Ｃ色用のアパーチャー５０Ｃ（図５参照）とが形成されたアパーチャー壁１０５が設けられている。
【００３０】
第１，第２シリンドリカルレンズ取り付け部１０３ａ，１０３ｂは、アパーチャー壁１０５の主走査方向両端から光束進行方向に延びている。Ｂｋ色用のシリンドリカルレンズ５９ＢｋとＣ色用のシリンドリカルレンズ５９Ｃとが副走査方向に並んで、第１シリンドリカルレンズ取り付け部１０３ａ、第２シリンドリカルレンズ取り付け部１０３ｂのいずれかに接着固定されている。図８に示すように、第１シリンドリカルレンズ取り付け部１０３ａから第２シリンドリカルレンズ取り付け部１０３ｂまでの距離Ｌ１は、シリンドリカルレンズ５９Ｂｋ，５９Ｃの主走査方向長さＬ２よりも長くなっている。
【００３１】
本実施形態においては、光学ハウジング５００にＬＤユニット１００を取り付ける前の状態では、シリンドリカルレンズ５９Ｂｋ、５９Ｃは、シリンドリカルレンズ取り付け部１０３に取り付けられておらず、後述するように、保持部材１０４を光学ハウジング５００にネジ１１０（図５参照）により締結した後、シリンドリカルレンズ５９Ｂｋ、５９Ｃを、シリンドリカルレンズ取り付け部１０３に取り付ける。このため、シリンドリカルレンズ取り付け部１０３は、光学ハウジング５００の開放面に対して、垂直な板状の形状にして、保持部材１０４を光学ハウジング５００に締結後に、シリンドリカルレンズ５９Ｂｋ，５９Ｃを取り付けられるようにしている。
【００３２】
図５は、シリンドリカルレンズ５９Ｂｋ，５９Ｃが保持部材１０４に取り付けられる前のＬＤユニット１００を光学ハウジング５００に取り付けた様子を示す断面図であり、図６は、光学ハウジング５００に締結された保持部材１０４に、シリンドリカルレンズ５９Ｂｋ，５９Ｃを取り付けた様子を示す断面図である。図５は、ＬＤユニット１００の主走査方向中央部の断面図であり、図６は、ＬＤユニットの主走査方向一端側付近の断面図である。
【００３３】
図５に示すように、光学ハウジング５００には、ネジ１１０がネジ止めされるための内周面に雌ネジが形成された不図示のネジ穴が設けられており、このネジ穴の周囲は、光学ハウジング側から突出して、ネジ１１０で保持部材１０４を締結したとき、コリメートレンズ取り付け部１０２の撓み変形を規制するための変形規制部５０３が形成されている。
【００３４】
図５に示すように、光源取り付け部１０１の光学ハウジング５００の底面と対向する箇所には、光学ハウジング５００に突き当る円柱形状の第１突当部１０８ａが設けられている。また、図６に示すように、コリメートレンズ取り付け部１０２の光学ハウジング５００の底面と対向面のシリンドリカルレンズ取り付け部１０３側で、主走査方向両端部には、それぞれ、光学ハウジングに突き当る円柱形状の第２突当部１０８ｂ，第３突当部１０８ｃ（図７参照）が設けられている。各突当部１０８ａ，１０８ｂ，１０８ｃの突出量は、変形規制部５０３の突出量よりも多くなっている。
【００３５】
光学ハウジング５００には、ＬＤユニット１００（保持部材１０４）を副走査方向に位置決めするための第１平面５００ａと第２平面５００ｂとを有している。保持部材１０４を光学ハウジング５００に取り付けると、第１突当部１０８ａは、光学ハウジング５００の第１平面５００ａに当接し、第２突当部１０８ｂと第３突当部１０８ｃとが、光学ハウジング５００の第２平面に当接する。これにより、ＬＤユニット１００（保持部材１０４）が、副走査方向に位置決めされる。
【００３６】
また、これら３個の突当部１０８ａ，１０８ｂ，１０８ｃが光学ハウジング５００に突き当って、保持部材１０４が、光学ハウジング５００に対して位置決めされたとき、変形規制部５０３とコリメートレンズ取り付け部１０２のネジ挿入穴周辺部１０２ａとの間に所定の隙間が生じるようになっている。すなわち、上記３個の突当部１０８ａ，１０８ｂ，１０８ｃが、隙間形成手段として機能している。また、本実施形態においては、各突当部１０８ａ，１０８ｂ，１０８ｃを保持部材１０４に設けているが、光学ハウジング５００に設けてもよい。
【００３７】
光学ハウジング５００を型成形にて作り込む際は、副走査方向の基準を第１平面５００ａとして、寸法規定するとよい。第１平面５００ａを副走査方向の基準とすることで、第２平面の副走査方向に寸法誤差があった場合、光学ハウジング５００に取り付けられたＬＤユニット１００（保持部材１０４）は、第１平面５００ａを基準にして副走査方向に傾くためである。また、第２平面５００ｂの他に、ポリゴンスキャナ５３、走査レンズ５４あるいは反射ミラー５５、５６の副走査方向の公差もこの第１平面５００ａから寸法規定となり、光ビーム径への影響が大きい光源５２Ｂｋ，５２Ｃの位置から積みあがる寸法誤差が少なくなる。
【００３８】
図７は、各突当部１０８ａ，１０８ｂと、ネジ挿入穴１０６との関係を示す図である。
図中破線で示す保持部材１０４の３つの突当部１０８ａ，１０８ｂ，１０８ｃを結んだ三角形は、第１突当部１０８ａから第２突当部１０８ｂまでの辺Ａの長さと、第１突当部１０８ａから第３突当部１０８ｃまでの辺Ｂの長さが等しい２等辺三角形が望ましい。また、ネジ挿入穴１０６は、辺Ａ上と、辺Ｂ上とに設けている。
【００３９】
次に、このＬＤユニット１００の光学ハウジング５００への取り付けについて、説明する。
まず、各光源５２Ｂｋ，５２Ｃを光源取り付け部１０１の取り付け孔に圧入する。次に、各コリメートレンズ５１Ｂｋ，５１Ｃを汎用の光学センサや光ビームスキャンを用いた光源調整治具にて、各光源５２Ｂｋ，５２Ｃから出射された光ビームが略平行光となるように各コリメートレンズ５１Ｂｋ，５１Ｃの位置調整を行い、第１光学素子取り付け部１０２に接着固定する。次に、各光源５２Ｂｋ，５２Ｃ、各コリメートレンズ５１Ｂｋ，５１Ｃが取り付けられた保持部材１０４を締結部材たるネジ１１０により光学ハウジング５００に締結する。具体的には、ネジ１１０をネジ挿入穴１０６に挿入して、光学ハウジング５００に設けられた不図示のネジ穴にネジ１１０をねじ込むことで、保持部材１０４が、光学ハウジング５００に締結される（図５参照）。
【００４０】
ネジ１１０を光学ハウジング５００の不図示のネジ穴にねじ込んでいくと、ネジ１１０の座面が、ネジ挿入穴周辺部１０２ａに当接して、コリメートレンズ取り付け部１０２を、光学ハウジング５００の底面側へ押圧する。このとき、図５に示すように、コリメートレンズ取り付け部１０２のネジ挿入穴周辺部１０２ａと光学ハウジング５００との間に隙間があり、第１突当部１０８ａ，第２突当部１０８ｂ，第３突当部１０８ｃの３箇所のみが、光学ハウジング５００の底面と当接している。そのため、ネジ１１０を光学ハウジング５００のネジ穴にねじ込んで、ネジ１１０の座面がコリメートレンズ取り付け部１０２を押圧していくと、コリメートレンズ取り付け部１０２が、光学ハウジング５００の底面側に撓む。このように、保持部材１０４のコリメートレンズ取り付け部１０２を撓ませて、保持部材１０４を光学ハウジング５００に締結することで、大きな締結力で保持部材１０４を光学ハウジング５００に取り付けることができる。
【００４１】
経時的に、画像形成装置に高温・低温を繰り返すヒートサイクルような外乱や、ポリゴンスキャナ５３の発熱による書込装置５内の温度上昇が繰り返し加わることで、保持部材１０４が厚み方向の膨張伸縮を繰り返し、やがてネジ１１０の締結力が落ちる可能性が高い。特に、本実施形態においては、保持部材１０４や光学ハウジング５００を金属と比較して熱に対する伸縮膨張が大きい樹脂で形成しているため、ネジ１１０の締結力が経時に低下していく可能性が高い。しかし、本実施形態においては、上述したように、大きな締結力で保持部材１０４を光学ハウジング５００に締結することができるので、経時使用で多少ネジ１１０の締結力が低下したとしても、十分な締結力で保持部材１０４を光学ハウジング５００に締結し続けることができる。これにより、経時の使用でネジ１１０の締結力が低下して、ポリゴンミラー５３ａの回転時の振動や、感光体４１などを駆動する駆動ユニットの振動などにより、保持部材１０４が、振動するのを抑制することができる。これにより、経時わたりバンディングなどの異常画像が生じるのを抑制することができる。
【００４２】
また、本実施形態においては、ネジ挿入穴周辺部１０２ａを薄肉にしたので、コリメートレンズ取り付け部１０２の撓み変形をネジ挿入穴周辺部１０２ａに集中させることができる。これにより、コリメートレンズ取り付け部１０２のコリメートレンズ周辺が光学ハウジング５００の底面側に撓んだり、光源取り付け部１０１がコリメートレンズ取り付け部１０２の撓み変形に伴って副走査方向に対して傾いたりするのを抑制することができ、各光源５２Ｂｋ，５２Ｃから出射された光束の光路が、規定の光路に対して副走査方向に傾くのを抑制することができる。特に、ネジ挿入穴１０６をコリメートレンズ５１Ｂｋ，５１Ｃよりも光束進行方向下流側に設けて、コリメートレンズ５１Ｂｋ，５１Ｃや光源取り付け部１０１から離して設けることにより、コリメートレンズ取り付け部１０２のコリメートレンズ周辺が光学ハウジング５００の底面側に撓んだり、光源取り付け部１０１がコリメートレンズ取り付け部１０２の撓み変形に伴って副走査方向に対して傾いたりするのをさらに抑制することができる。
【００４３】
また、コリメートレンズ取り付け部１０２の光源取り付け部１０１との接続部からコリメートレンズ５１Ｂｋ，５１Ｃが取り付けられる箇所までの領域を他の領域よりも肉厚にしてもよい。このように構成することで、第１光学素子取り付け部１０２のコリメートレンズ周辺が光学ハウジング５００の底面側に撓んだり、光源取り付け部１０１が第１光学素子取り付け部１０２の撓み変形に伴って副走査方向に対して傾いたりするのを抑制することができる。
【００４４】
また、保持部材１０４を２本のネジ１１０で光学ハウジング５００に締結するので、主走査方向一端側のネジ１１０の締結力と主走査方向他端側のネジ１１０の締結力に差が生じる場合がある。しかし、本実施形態においては、コリメートレンズ取り付け部１０２のネジ挿入穴周辺部１０２ａと光学ハウジング５００の第２平面５００ｂとの間に隙間を形成し、ネジ挿入穴周辺部１０２ａを副走査方向に撓みやすくしている。これにより、各ネジの締結力の差は、ネジ挿入穴周辺部１０２ａの副走査方向の撓み量の差となり、保持部材１０４が、主走査方向に対して傾いて取り付けられるのを抑制することができる。これにより、光源から出射される光束の光路が、規定の光路に対して主走査方向にずれるのを抑制することができる。
【００４５】
また、先の図７に示したように、各ネジ挿入穴１０６を、第１突当部１０８ａと第２突当部１０８ｂとを結んだ線分上、第１突当部１０８ａと第３突当部１０８ｃとを結んだ線分上にそれぞれ設けている。これらの位置にネジ挿入穴１０６をそれぞれ設けることで、ネジ１１０の座面は、コリメートレンズ取り付け部１０２の第１突当部１０８ａと第２突当部１０８ｂ、および、第１突当部１０８ａと第３突当部１０８ｃとにより両持ち支持された構造の部分をそれぞれ押圧することになる。これにより、ネジ１１０の締結力を、各突当部１０８ａ，１０８ｂ，１０８ｃを介して光学ハウジング５００でしっかりと受けることができる。その結果、各ネジの締結力に差があったとしても、保持部材１０４が、主走査方向に対して傾くのをより一層抑制することができる。これにより、光源から出射される光束の光路が、規定の光路に対して主走査方向にずれるのを抑制することができる。本実施形態においては、図７の破線で示す２等辺三角形の辺Ａと辺Ｂ上にネジ挿入穴１０６を設けているが、破線の２等辺三角形の領域内であればよい。破線の２等辺三角形の領域内に設けることで、第１光学素子取り付け部１０２の両持ち支持された構造の部分をネジ１１０が押圧するので、上述と同様の効果が期待できる。
【００４６】
また、本実施形態においては、光学ハウジング５００の不図示のネジ穴の周囲に変形規制部５０３を設けることにより、ネジ１１０をねじ込みすぎにより、コリメートレンズ取り付け部１０２が副走査方向に撓みすぎるのを抑制することができる。
【００４７】
このように、本実施形態においては、ネジの締結力により、保持部材１０４は、副走査方向に撓むだけであり、光学ハウジング５００締結後の光源から出射された光束の光路は、規定の光路に対して、副走査方向に傾くだけである。
【００４８】
保持部材１０４を光学ハウジング５００に締結したら、各シリンドリカルレンズ５９Ｂｋ，５９Ｃを、第１シリンドリカルレンズ取り付け部１０３ａに取り付ける。本実施形態においては、保持部材１０４をネジ１１０で光学ハウジング５００に締結したとき、コリメートレンズ取り付け部１０２が、副走査方向（光学ハウジングの底面側）に撓むことにより、光源取り付け部１０１が、副走査方向に対して傾いている場合がある。その結果、各光源５２Ｂｋ，５２Ｃから出射した光束の光路は、規定の光路に対して副走査方向に傾く場合がある。しかし、本実施形態においては、保持部材１０４を光学ハウジング５００に締結後にシリンドリカルレンズ５９Ｂｋ，５９Ｃを取り付けることにより、このような光路の副走査方向の傾きを補正することができ、ポリゴンミラー５３ａの所定の位置に各光源から出射された光束を照射させることができる。
【００４９】
まず、Ｃ色のシリンドリカルレンズ５９Ｃを、第１シリンドリカルレンズ取り付け部１０３ａに取り付ける。具体的には、Ｃ色のシリンドリカルレンズ５９Ｃを、光軸方向、副走査方向、主走査方向、光軸方向回り、副走査方向回り、主走査方向回りに調整可能な不図示のチャック部材に保持する。次に、Ｃ色の光源５２Ｃから光ビームを照射させ、ポリゴンミラー５３ａを回転させながら、Ｃ色の感光体４１Ｃの像面位置に汎用の光ビームスキャンやＣＣＤカメラを配置して、光ビーム径や、像面位置などを測定しながらチャック部材を移動させ、所定のビーム径や所定の像面位置に光が照射されるようシリンドリカルレンズ５９Ｃの位置調整を行う。シリンドリカルレンズ５９は、副走査方向に光を集光する光学素子であるので、規定の光路に対する副走査方向の傾きは、シリンドリカルレンズ５９を主走査方向回りに姿勢を変化させることで、補正され、感光体４１の所定の位置に光を照射することができる。次に、位置調整が終了したら、Ｃ色のシリンドリカルレンズ５９Ｃと第１シリンドリカルレンズ取り付け部１０３ａとの間に紫外線硬化型の接着剤を充填し、紫外線を照射し、Ｃ色のコリメートレンズ５１Ｃを第１シリンドリカルレンズ取り付け部１０３ａに接着固定する。上記では、位置調整を行った後に接着剤を充填しているが、接着剤を充填した後に位置調整を行ってもよい。このようにして、Ｃ色のシリンドリカルレンズ５９Ｃを第１シリンドリカルレンズ取り付け部１０３ａに取り付けたら、Ｋ色のシリンドリカルレンズ５９Ｂｋを、上述と同様にして、第１シリンドリカルレンズ取り付け部１０３ａに接着固定する（図６、図９参照）。
【００５０】
このように、保持部材１０４を光学ハウジング締結後にシリンドリカルレンズ５９Ｂｋ，５９Ｃを第１シリンドリカルレンズ取り付け部１０３ａに取り付けるので、各光源５２Ｂｋ，５２Ｃから出射された光路が、規定の光路に対して副走査方向に傾いていても、ポリゴンミラーの所定の位置へ照射することができる。また、各シリンドリカルレンズ取り付け部１０３ａ，１０３ｂが、光学ハウジング５００の開放面に対して垂直な面であるので、保持部材１０４を光学ハウジング５００に締結した後でも、光学ハウジング５００の開放面から第１シリンドリカルレンズ取り付け部１０３ａと第２シリンドリカルレンズ取り付け部１０３ｂとの間の領域にアクセスできる。よって、各シリンドリカルレンズ５９Ｂｋ，５９Ｃの姿勢を調整して光学ハウジングに締結後の保持部材１０４に各シリンドリカルレンズ５９Ｂｋ，５９Ｃを取り付けることができる。
【００５１】
また、本実施形態とは異なり、予めシリンドリカルレンズ５９を、姿勢調整機構を介して保持部材１０４に取り付け、このシリンドリカルレンズ５９が予め取り付けられた保持部材１０４を光学ハウジング５００に締結し、締結後姿勢調整機構を操作してシリンドリカルレンズ５９の姿勢を調整して副走査方向の傾きを補正することも考えられる。しかし、本実施形態においては、書込装置の小型化を図るため、図２に示すように、光源５２からポリゴンミラー５３ａまでの距離が短くなっており、姿勢調整機構を設けると姿勢調整機構が走査レンズ５４に干渉してしまう。そのため、姿勢調整機構を設けた構成の場合は、書込装置の小型化を十分に達成できないという不具合がある。よって、本実施形態において、保持部材１０４を光学ハウジング５００に締結後にシリンドリカルレンズ５９の姿勢を調整して取り付けるようにして、姿勢調整機構を設けないようにすることで、装置の小型化、部品点数の削減による装置のコストダウンを図ることができる。
【００５２】
また、保持部材１０４は、ネジ１１０で締結されているので、光源５２Ｂｋや光源５２Ｃに寿命がきて、ＬＤユニット１００を交換するときは、ネジ１１０を取り外すだけで、簡単にＬＤユニット１００を光学ハウジング５００から取り外すことができる。これにより、ＬＤユニット１００の交換を容易に行うことができる。また、ネジ１１０により保持部材１０４を光学ハウジング５００に固定するので、板バネで保持部材１０４を一方側に付勢して、光学ハウジング５００と板バネとで挟持固定するものに比べて、保持部材１０４が振動するのを抑制することができる、これにより、バンディングなどの異常画像が生じるのを抑制することができる。
【００５３】
光源５２Ｂｋ，５２Ｃに寿命がきて回収されたＬＤユニット１００においては、寿命がきた光源を光源取り付け部１０１から取り外し、光源取り付け部１０１の取り付け孔１０１ａ，１０１ｂに新品の光源を嵌合させる。予め位置だしされた光源取り付け部１０１ａ，１０１ｂに光源５２Ｂｋ，５２Ｃを嵌合することで、交換前と交換後とでコリメートレンズ５１Ｂｋ，５１Ｃと光源５２Ｂｋ，５２Ｃとの位置関係が大きく崩れることはない。よって、光源５２Ｂｋ，５２Ｃが交換されたとき、コリメートレンズ５１Ｂｋ，５１Ｃを保持部材１０４から取り外して、コリメートレンズ５１Ｂｋ，５１Ｃの位置や姿勢の再調整は必要ない。そのため、コリメートレンズ５１Ｂｋ，５１Ｃは、保持部材１０４にそのまま接着固定しておくことができる。一方、シリンドリカルレンズ５９Ｂｋ，５９Ｃは、上述したように保持部材１０４をハウジング５００に取り付けたときの光路の副走査方向のズレを調整して、保持部材１０４に取り付けるようにしている。よって、光源を交換してＬＤユニット１００を再利用するとき、保持部材１０４から、シリンドリカルレンズ５９Ｂｋ，５９Ｃを一旦、取り外す必要がある。シリンドリカルシリレンズ５９Ｂｋ，５９Ｃは、シリンドリカルレンズ取り付け部１０３に接着固定されているので、シリンドリカルレンズ５９Ｂｋ，５９Ｃを、シリンドリカルレンズ取り付け部１０３から取り外したとき、シリンドリカルレンズ取り付け部１０３に接着剤が残ってしまう。
【００５４】
本実施形態と異なり、シリンドリカルレンズ取り付け部１０３が一つしか設けられていない場合、光源が交換されたＬＤユニット１００をハウジング５００に取り付けた後に、接着剤が付着したシリンドリカルレンズ取り付け部１０３に取り付けることになる。しかしながら、この場合、シリンドリカルレンズ取り付け部１０３に残った接着層によりシリンドリカルレンズ５９Ｂｋ，５９Ｃとシリンドリカルレンズ取り付け部１０３との隙間がほとんどなくなり、接着に十分な接着剤を充填させることができない。従って、シリンドリカルレンズ５９Ｂｋ，５９Ｃをシリンドリカルレンズ取り付け部１０３に強固に固定することができない。その結果、振動などによって、市場でシリンドリカルレンズ５９Ｂｋ，５９Ｃがシリンドリカルレンズ取り付け部１０３から剥離するおそれがある。
【００５５】
一方、本実施形態においては、シリンドリカルレンズ取り付け部を複数設けている。よって、図１０に示すように、前回、固定に用いなかった第２シリンドリカルレンズ取り付け部１０３ｂを、シリンドリカルレンズ５９Ｂｋ，５９Ｃの固定に用いることができる。この第２シリンドリカルレンズ取り付け部１０３ｂは、前回、シリンドリカルレンズ５９Ｂｋ，５９Ｃの固定に用いていないので、接着剤が付着していない。よって、ＬＤユニット１００の再利用においても、シリンドリカルレンズ５９Ｂｋ，５９Ｃをシリンドリカルレンズ取り付け部１０３に強固に固定することができる。
【００５６】
また、先の図８に示したように、第１シリンドリカルレンズ取り付け部１０３ａから第２シリンドリカルレンズ取り付け部１０３ｂまでの長さＬ１を、シリンドリカルレンズ５９Ｂｋ，５９Ｃの主走査方向長さＬ２よりも十分に大きくしている。よって、前回の固定に用いられた第１シリンドリカルレンズ取り付け部１０３ａに付着している接着剤が、第２シリンドリカルレンズ取り付け部１０３ｂへのシリンドリカルレンズ５９Ｂｋ，５９Ｃの接着固定を阻害することがない。これにより、良好に第２シリンドリカルレンズ取り付け部１０３ｂにシリンドリカルレンズ５９Ｂｋ，５９Ｃを接着固定することができる。
【００５７】
また、本実施形態においては、複数のシリンドリカルレンズ取り付け部１０３ａ，１０３ｂを光軸回りに配置（本実施形態においては、光軸回りに１８０°の間隔を開けて配置）している。シリンドリカルレンズ５９Ｂｋ，５９Ｃは、副走査方向、主走査方向、光軸方向いずれの方向もそれほど長いものではない。よって、例えば、シリンドリカルレンズ取り付け部１０３から突出する接着用突起部を副走査方向に複数並べて設けて、ＬＤユニット１００を再利用するときは、前回、固定に用いた接着用突起部を削って、前回とは異なる接着固定部に接着固定することも考えられる。しかし、この場合、前回とは異なる接着固定部に接着固定したとき、光束がシリンドリカルレンズ５９Ｂｋ，５９Ｃの有効範囲を通過しなくなり、光束を副走査方向に集光することができないという不具合が生じる。また、接着用突起部の大きさを小さくすることで、上記不具合を解消することができるが、この場合、シリンドリカルレンズ５９Ｂｋ，５９ｃと接着固定部との接着面積が小さくなる。その結果、シリンドリカルレンズ５９Ｂｋ，５９Ｃを保持部材１０４に強固に固定することができず、振動などによって、市場でシリンドリカルレンズ５９Ｂｋ，５９Ｃが保持部材１０４から剥離するおそれがある。
【００５８】
一方、本実施形態においては、複数のシリンドリカルレンズ取り付け部を光軸回りに配置（本実施形態においては、光軸回りに１８０°の間隔を開けて配置）することで、前回とは異なるシリンドリカルレンズ取り付け部にシリンドリカルレンズ５９Ｂｋ，５９Ｃを固定しても、シリンドリカルレンズ５９Ｂｋ，５９Ｃの有効範囲に光束を通過させることができる。これにより、ＬＤユニット１００を再利用した場合でも、シリンドリカルレンズ５９Ｂｋ，５９Ｃで良好に光束を副走査方向に集光することができ、精度の高い光学特性を得ることができる。また、十分な接着面積でシリンドリカルレンズ５９Ｂｋ，５９Ｃを固定することができ、シリンドリカルレンズ５９Ｂｋ，５９Ｃを強固に保持部材１０４に固定することができる。
【００５９】
また、本実施形態においては、第２シリンドリカルレンズ取り付け部１０３ｂを、第１シリンドリカルレンズ取り付け部１０３ａに対して主走査方向に対向配置している。これにより、上述したように、シリンドリカルレンズ５９Ｂｋ，５９Ｃの姿勢および位置の調整を行うとき、チャック部材に挟まれたシリンドリカルレンズ５９Ｂｋ，５９Ｃを副走査方向から、シリンドリカルレンズ取り付け部１０３ａ，１０３ｂにアクセスすることができる。書込装置５は、光束を主走査方向に走査するので、主走査方向に様々な部品が配置されており、副走査方向には、ほとんど部品などが配置されていない。本実施形態においても、副走査方向は、ハウジング５００の開放面であり、部品などが配置されていない。これにより、書込装置内の部品に阻害されることなく、シリンドリカルレンズ５９Ｂｋ，５９Ｃの姿勢や位置を調整することができる。
【００６０】
図１１は、シリンドリカルレンズ取り付け部１０３ａ（１０３ｂ）からシリンドリカルレンズ５９Ｂｋ（５９Ｃ）を取り外す様子を示す拡大構成図である。
図１１に示すように、本実施形態では、各シリンドリカルレンズ取り付け部１０３ａ，１０３ｂの接着面を凹凸にして、シリンドリカルレンズ５９Ｂｋ，５９Ｃの接着面（側面）よりも表面積を大きくしている。これにより、シリンドリカルレンズ５９Ｂｋ，５９Ｃをシリンドリカルレンズ取り付け部１０３ａ（１０３ｂ）から剥離したとき、接着剤がシリンドリカルレンズ取り付け部１０３ａ（１０３ｂ）側に付着する。これにより、シリンドリカルレンズ５９Ｂｋ，５９Ｃに接着剤を残さないようにすることができる。これにより、シリンドリカルレンズ５９Ｂｋ，５９Ｃの再利用が可能となる。
【００６１】
次に、ＬＤユニット１００の変形例について説明する。
図１２は、変形例のＬＤユニット１００ａの平面図である。
シリンドリカルレンズ５９Ｂｋ，５９Ｃとシリンドリカルレンズ取り付け部１０３ａとの間に接着剤を充填するときは、調整治具などにより接着剤の吐出量を管理しているものの、吐出量のばらつきにより、狙いの量よりも多くなってしまう場合がある。その場合、シリンドリカルレンズ取り付け部に残留する接着剤が多くなり、前回不使用のシリンドリカルレンズ取り付け部にシリンドリカルレンズを取り付ける際にシリンドリカルレンズがシリンドリカルレンズ取り付け部間に入らない場合がある。また、ＬＤユニットの再利用のときに、前回固定用いたシリンドリカルレンズ取り付け部に残留する接着剤に光が反射してフレア光になるなどの弊害も懸念される。
【００６２】
そこで、この変形例のＬＤユニット１００ａにおいては、図１２に示すように、各シリンドリカルレンズ取り付け部１０３ａ，１０３ｂにそれぞれ、副走査方向に延びるスリット１１３ａ，１１３ｂが設け、接着剤が残留するシリンドリカルレンズ取り付け部を除去できるようにした。
【００６３】
図１３（ａ）に示すように、シリンドリカルレンズ５９Ｂｋ，５９Ｃが取り外され、接着剤が残った第１シリンドリカルレンズ取り付け部１０３ａを、図中矢印Ｗ方向に力を加える。すると、第１シリンドリカルレンズ取り付け部１０３の接着剤が付着した箇所が、スリット１１３ａが形成されたところから折れる。これにより、図１３（ｂ）に示すように、第１シリンドリカルレンズ取り付け部１０３の接着剤が付着した箇所を取り除くことができる。そして、図１４に示すように、第２シリンドリカルレンズ取り付け部にシリンドリカルレンズ５９Ｂｋ，５９Ｃ取り付ける。
【００６４】
このように、第１シリンドリカルレンズ取り付け部１０３ａの接着剤付着部分を取り除くことで、第１シリンドリカルレンズ取り付け部１０３ａに残留する接着剤が、シリンドリカルレンズの姿勢の再調整時に邪魔となることがない。これにより、精度の高い再調整を行うことができる。また、第１シリンドリカルレンズ取り付け部１０３ａに残留する接着剤によるフレア光の弊害も防止することができる。
【００６５】
また、スリット１１３ａを設けることで、第１シリンドリカルレンズ取り付け部１０３ａの接着剤付着部分を容易に取り除くことができる。
【００６６】
この変形例では、第２シリンドリカルレンズ取り付け部１０３ｂにも、スリット１１３ｂを設けているが、最初にシリンドリカルレンズが取り付けられる第１シリンドリカルレンズ取り付け部１０３ａにのみ、スリット１１３ａを設けてもよい。
【００６７】
また、本実施形態とは異なり、ハウジング５００に直接、シリンドリカルレンズが接着固定される書込装置にも本発明を適用することができる。この場合は、取り付け部材としてのハウジング５００にハウジング５００の開放面に対して垂直（副走査方向に平行な）板状の一対のシリンドリカルレンズ取り付け部を主走査方向に対向配置する。これにより、ハウジング５００を再利用することができる。
【００６８】
また、本発明は、第２光学素子としてのシリンドリカルレンズのみではなく、コリメートレンズにも適用することができる。光源が交換されると、光源とコリメートレンズとの位置関係が崩れ、コリメートレンズの姿勢や位置の再調整が必要な構成の場合において、コリメートレンズが接着固定される接着固定部を光軸回りに複数設けるのである。これにより、主走査方向、副走査方向、光軸方向いずれにも短いコリメートレンズを前回とは異なる接着固定部に固定した場合でも、コリメートレンズの有効範囲内に光源からの光を通過させることができる。
【００６９】
以上に説明したものは一例であり、本発明は、次の（１）〜（８）の態様毎に特有の効果を奏する。
（１）
光源５２と、光源５２から出射された光を偏向走査するポリゴンスキャナ５３などの偏向手段と、光源５２から前記偏向手段までの光路上に配置されたシリンドリカルレンズ５９などの光学素子と、光源５２と光学素子とが取り付けられる保持部材１０４などの取り付け部材とを備え、取り付け部材には、光学素子が接着固定されるシリンドリカルレンズ取り付け部１０３など接着固定部を複数備える書込装置５などの光走査装置であって、上記複数の接着固定部を、光軸回りに配置した。
かかる構成を備えることで、実施形態で説明したように、前回と異なる接着固定部に光学素子を接着固定しても光学素子が光路上から外れてしまうことがない。これにより、光源から偏向手段の光路上に配置された光学素子が取り外れた取り付け部材を再使用することができる。
【００７０】
（２）
また、上記（１）に記載の態様の書込装置５などの光走査装置において、保持部材１０４などの取り付け部材、ポリゴンスキャナ５３などの偏向手段を保持し、開放面を有する光学ハウジング５００と、光学ハウジング５００の開放面を覆うカバー部材５０５とを備え、シリンドリカルレンズ取り付け部などの接着固定部は、光学ハウジング５００の開放面に対して垂直な板状であり、接着固定部を、光軸を中心に主走査方向左右に設けた。
かかる構成を備えることで、実施形態で説明したように、シリンドリカルレンズ５９などの光学素子の姿勢を再調整するときに、光学ハウジングの開放面から接着固定部にアクセスして、調整することができる。
【００７１】
（３）
また、上記（２）に記載の態様の書込装置５などの光走査装置において、光源５２からポリゴンスキャナ５３などの偏向手段までの光路上には、光源５２から射出される光束を略平行光に偏向するコリメートレンズ５１などの第１光学素子と、第１光学素子を通過した光束を副走査方向に集光するシリンドリカルレンズ５９などの第２光学素子とが配置されており、保持部材１０４などの取り付け部材は、光源５２および第１、第２光学素子が取り付けられ、第２光学素子が接着固定部に接着固定されるものであって、取り付け部材の第１光学素子が取り付けられるコリメートレンズ取り付け部１０２などの第１光学素子取り付け部は、副走査方向に対して垂直な板状の形状であって、上記取り付け部材を上記光学ハウジング５００に締結するためのネジ１１０締結部材が挿入される複数のネジ挿入穴１０６などの挿入穴を有する。
かかる構成を備えることで、実施形態で説明したように、保持部材１０４などの取り付け部材を光学ハウジング５００に締結したとき、光源５２から出射された光束の光路の規定の光路に対するズレを、副走査方向の傾きのみにすることができる。よって、取り付け部材を光学ハウジング５００に締結した後に、シリンドリカルレンズ５９などの第２光学素子の姿勢を調整してシリンドリカルレンズ取り付け部１０３などの接着固定部に接着固定することで、ネジ１１０などの締結部材で取り付け部材を光学ハウジング５００に締結しても、ポリゴンスキャナ５３などの偏向手段の所定の位置に光束を照射することができる。
【００７２】
（４）
また、上記（２）または（３）に記載の態様の書込装置５などの光走査装置において、シリンドリカルレンズ取り付け部１０３などの接着固定部の間隔を、接着固定部に固定されるシリンドリカルレンズ５９などの光学素子の主走査方向長さよりも長くした。
かかる構成を備えることで、実施形態で説明したように、前回の固定に用いられたシリンドリカルレンズ取り付け部１０３などの接着固定部に付着している接着剤が、今回、固定に用いられる接着固定部にシリンドリカルレンズ５９などの光学素子を接着固定するときに、邪魔となることがない。これにより、良好に前回とは異なる接着固定部に光学素子を接着固定することができる。
【００７３】
（５）
また、請求項１乃至４いずれかに記載の態様の書込装置５などの光走査装置において、シリンドリカルレンズ取り付け部１０３などの接着固定部を、保持部材１０４などの取り付け部材に対して取り外し可能に構成した。
かかる構成を備えることで、変形例で説明してように、シリンドリカルレンズ取り付け部１０３などの接着固定部に残留する接着剤が、シリンドリカルレンズなどの光学素子の姿勢の再調整時に邪魔となることがない。これにより、精度の高い再調整を行うことができる。また、接着固定部に残留する接着剤によるフレア光の弊害も防止することができる。
【００７４】
（６）
また、上記（５）に記載の態様の書込装置５などの光走査装置において、シリンドリカルレンズ取り付け部１０３などの接着固定部にスリットを形成した。
かかる構成を備えることで、変形例１で説明したように、スリットの形成方向と直交する方向に力を加えることで、簡単に接着固定部の接着剤を付着した部分を折ることができ、接着固定部の接着剤を付着した部分を取り除くことができる。
【００７５】
（７）
また、上記（１）乃至（６）いずれかに記載の態様の書込装置５などの光走査装置において、シリンドリカルレンズ取り付け部１０３などの接着固定部の表面積を、シリンドリカルレンズ５９などの光学素子の上記接着固定部に接着される箇所の表面積よりも大きくした。
かかる構成を備えることで、実施形態で説明したように、シリンドリカルレンズ５９などの光学素子に接着剤が付着するのを抑制することができ、光学素子を再利用することができる。
【００７６】
（８）
また、潜像を担持する複数の感光体などの潜像担持体と、光走査によって各潜像担持体の表面に潜像を形成する光走査手段と、各潜像担持体に対応して設けられ担持された潜像を現像する複数の現像手段とを備える画像形成装置において、光走査手段として、上記（１）乃至（７）に記載のいずれかの態様の光走査装置を用いた。
これにより、良好な潜像を潜像担持体に書込むことができ、良好な画像を得ることができる。
【符号の説明】
【００７７】
５ａ，５ｂ：書込装置
４１：感光体
５０：アパーチャー
５１：コリメートレンズ
５２：光源
５３：ポリゴンスキャナ
５３ａ：ポリゴンミラー
５４：走査レンズ
５９：シリンドリカルレンズ
１００，１００ａ：ＬＤユニット
１０１：光源取り付け部
１０２：コリメートレンズ取り付け部
１０３ａ：第１シリンドリカルレンズ取り付け部
１０３ｂ：第２シリンドリカルレンズ取り付け部
１０４：保持部材
１０５：アパーチャー壁
１０６：ネジ挿入穴
１１０：ネジ
１１３ａ，１１３ｂ：スリット
５００：ハウジング
５０５：カバー部材
【先行技術文献】
【特許文献】
【００７８】
【特許文献１】特開２００３−５１１６号公報
【図１】
2014013329.tif 000003
【図２】
2014013329.tif 000004
【図３】
2014013329.tif 000005
【図４】
2014013329.tif 000006
【図５】
2014013329.tif 000007
【図６】
2014013329.tif 000008
【図７】
2014013329.tif 000009
【図８】
2014013329.tif 000010
【図９】
2014013329.tif 000011
【図１０】
2014013329.tif 000012
【図１１】
2014013329.tif 000013
【図１２】
2014013329.tif 000014
【図１３】
2014013329.tif 000015
【図１４】
2014013329.tif 000016
【図１５】
2014013329.tif 000017
【図１６】
2014013329.tif 000018